(57)【要約】【課題】  比較的簡便な方法で正面輝度を低下させる事なく、かつＬＥＤ光源の光度もしくは駆動電流を上げても液晶パネルに青みが出ない手段を提供する。【解決手段】  導光板２から液晶素子７の間の何れかに、液晶素子に達するまでの光を分光放射するための手段、または、液晶素子に達するまでの特定のスペクトル光成分に作用してこれを効率的に除去、もしくは透過させるスペクトル選択手段を備える。【選択図】  図１
2006330220.tif 000002
【特許請求の範囲】
【請求項１】
液晶素子と、点光源と、前記点光源からの出射光を前記液晶素子に導く導光板を備える液晶表示装置であって、
前記液晶素子と前記導光板の間に、前記導光板から出射した光を分光放射させる光学素子を備えることを特徴とする液晶表示装置。
【請求項２】
前記光学素子が透過型の回折格子であることを特徴とする請求項１に記載の液晶表示装置。
【請求項３】
前記光学素子が音響光学変調機能を持つ光学素子であることを特徴とする請求項１に記載の液晶表示装置。
【請求項４】
液晶素子と、点光源と、前記点光源からの出射光を前記液晶素子に導く導光板を備える液晶表示装置であって、
前記液晶素子と前記導光板の間に、前記導光板から出射した光の特定の波長を除去、または透過するスペクトル選択手段を備えたことを特徴とする液晶表示装置。
【請求項５】
前記スペクトル選択手段が干渉フィルタであることを特徴とする請求項４に記載の液晶表示装置。
【請求項６】
前記スペクトル選択手段がエッジフィルタであることを特徴とする請求項４に記載の液晶表示装置。
【請求項７】
前記光学素子または前記スペクトル選択手段と前記導光板の間に、前記導光板から出射した光を正面方向へ集光させる集光層を備えることを特徴とする請求項１〜６のいずれか一項に記載の液晶表示装置。
【発明の詳細な説明】
【発明の詳細な説明】
【０００１】
【技術分野】
【０００２】
本発明は、導光体、照明装置、及び液晶表示装置に関するものである。
【背景技術】
【０００３】
近年、携帯電話、携帯型小型テレビ、携帯型ゲーム機、ＰＤＡ、および小型ノート型パーソナルコンピュータ等に代表される液晶表示装置では液晶表示の大型・高精細・広視野角化が進んできたが、これに伴い液晶装置用の照明装置には高輝度化の性能要求があり、現在もこの動向は変わりなく継続している。
【０００４】
ＴＦＴ−ＬＣＤ等に代用される透過型カラー液晶表示装置では、一般に白色光源を用いた照明装置をバックライトとして用いて、導光板（導光体）とその側端面に配設された光源とを基本構成としており、導光板側端面から導入した光を、導光板の出射面と反対側の面に形成したプリズム形状により反射させて出射面から出射させることで、液晶パネル等の被照明体を照明するようになっている。
【０００５】
図１１に、従来の液晶表示装置の構成断面を示す。照明装置２１は、ＬＥＤ光源１、アクリル樹脂等の透明樹脂で形成された導光板２、導光板に導光された光を散乱させるために導光板下面に形成された印刷ドット２０、および反射シート３、導光板２の上面に設置された光を散乱させるための拡散シート１８、散乱した光をそれぞれｘ方向、ｙ方向に集光させるための第１プリズムシート１９ａ、第２プリズムシート１９ｂを備えている（例えば、非特許文献１参照）。即ち、従来の照明装置２１では、ＬＥＤ光源１から出射された光は、導光板２に導かれ、印刷ドット２０により散乱され、その散乱光の一部は反射シート３により再度導光板２に入射し、その後拡散シート１８とプリズムシート１９ａ，１９ｂとを通過して液晶素子７に照射される構成になっている。しかしこの方式では、各方向に散乱した光を２枚のプリズムシートで屈折させて正面方向へ集光する構成のため、導光体からの出射光でプリズムシートにより正面方向の輝度に利用される効率は高々６０％程度に留まること、及びプリズムシート内で多重反射する光線の存在により光量ロスが発生するなど、高輝度化には限界がある事が従来から指摘されていた。
【０００６】
これに対して、近年エッジライト方式の導光体より斜めに出射した光をバックライトの正面方向に変角し、正面輝度を極端に向上させる照明装置が提案されている（例えば、非特許文献２参照）。図１２は、それをバックライトとして用いた液晶表示装置の構成を示す断面図である。図示するように液晶表示装置２５は、ＬＥＤ光源１と光を面光源へと転換する導光板２と、導光板２の下方に配置されて導光板２の下方に放出される光を導光板２の内部に反射する反射シート３と、導光板２の上方に配置される光学シート層４と液晶素子７を備えている。
【０００７】
導光板２は、ＬＥＤ光源１から放射された光が入光される入光面２２と、光学シート層４に向けて光が出光される出光面２３とを有する。導光板２の反射シート３と対向する表面には所定の間隔をおいてプリズム山２４ａが形成されており、導光板２内に反射される光が光学シート層４に向けて均一に出射されるようにしている。光学シート層４は、導光板２の出光面２３の上方に配置され、出光面２３と対向する表面に所定の間隔をおいてプリズム山２４ｂが形成された逆プリズム形状を成す。逆プリズム形状の光学シート層４では、液晶表示パネルに入光される光の垂直方向の成分を増加させることにより、光の正面輝度を向上させる。
【０００８】
次にこの方式の照明装置の動作について図１３を使って説明する。導光板２内部を伝播する光は、空気と導光板材料の屈折率で決まる臨界角より小さな角度で界面に入射・反射を繰り返して導光板内部に閉じ込められているが（図中ｍ１）、導光板２の背面に形成したプリズム山２４ａの界面に入射した光は、平面に対する凹凸斜面の角度分に対応する入射角の範囲で臨界角を超えるので、全反射することなく導光板２より出射する（図中ｍ２）。この方式では、プリズム山２４ａにより臨界角近傍の光を選択的に出射させるので、高い指向性をもった光を導光板２より出射させることができる。そして出光面２３の各位置から取り出された光は光学シート層４のプリズム山２４ｂの斜面により全反射され（図中ｍ３）、バックライトの正面方向に変角して正面方向への輝度を向上させている。
【０００９】
この方式（以降全反射方式と称する）の照明装置では、プリズムシートでの全反射を利用するため導光体からの出射光でプリズムシートにより正面方向の輝度に利用される効率は９０％と大きい反面、導光板単体で取り出される光に強い指向性があるため、一般的に視野角範囲は狭い事が知られている。
【非特許文献１】岡田博司著「ＬＣＤバックライト用プリズムシートの開発動向」月間ディスプレイ、2004年４月号、p.14−21
【非特許文献２】田中章著「液晶用バックライトの技術動向」、月間ディスプレイ、1998年６月号、p.50−57
【発明の開示】
【発明が解決しようとする課題】
【００１０】
全反射方式の照明装置を用いた液晶表示装置では、従来の照明装置を用いた液晶表示装置と比べて正面方向での輝度が低くなる問題がある。これは図１２にある液晶素子７が本質的に拡散効果をもつ素子として作用するために、狭い視野角範囲で出射する全反射方式の照明装置では拡散効果が大きく作用するためである。これを解決するために、従来ではＬＥＤ光源１の光度を上げる、あるいは、ＬＥＤ光源１への駆動電流を増やすという方策が取られていた。しかし、ＬＥＤ光源の発光スペクトルは、図１４に示すように青の波長光（４８８ｎｍ近傍）に強い相対強度を持つ特性であるため、このような方策を行うと液晶パネルの表示に青みが出てしまうという問題がある。
【００１１】
そこで本発明は、比較的簡便な方法で正面輝度を低下させる事なく、かつＬＥＤ光源の光度もしくは駆動電流を上げても液晶パネルに青みが出ない手段を提供することを目的とする。
【課題を解決するための手段】
【００１２】
そこで本発明の液晶表示装置は、液晶素子に達するまでの光を分光放射するための手段と、液晶素子に達するまでの特定のスペクトル光成分に作用してこれを効率的に除去、もしくは透過させるスペクトル選択手段を液晶素子と導光板の間に備えることとした。ここで、分光手段として透過型の回折格子や音響光学素子が、また、スペクトル選択手段として干渉フィルタやエッジフィルタなどが例示できる。音響光学素子は超音波などによる音響光学変調機能を備えた光学素子で、テルライトガラスやモリブデン酸鉛単結晶（ＰｂＭｏＯ４）などを音響光学媒体として使用するのが一般的である。
【００１３】
各要素の配置については、具体的には、分光手段とスペクトル選択手段は図１２において光学シート層４と液晶素子７の間に、スペクトル選択手段５を光学シート層４の上方にして設置するのが望ましいが、導光板２から液晶素子７の間で任意に変更が可能である。また分光手段とスペクトル選択手段は液晶表示装置内に双方を配置するが、何れか一方を使った構成でも良い。
【００１４】
このように、分光手段とスペクトル選択手段を備えたことで、光学シート層４より出射した狭い視野角範囲の光を所定の視野角範囲に広げる効果が期待できるため、液晶パネル透過後の輝度低下を最小限度とする事ができる他、スペクトル選択手段を配置して青の波長成分の光を効果的に低減しているため、液晶パネルへの青みの発生を効果的に低減する事ができる。
【発明の効果】
【００１５】
本発明の液晶表示装置では、分光範囲の制御が溝間隔の変更で容易に変化できるため、液晶パネルに応じた分光状態の制御が比較的容易であり、液晶パネル透過後の輝度低下を最小限度とする事ができる。また、青の波長成分の光を効果的に低減する手段を備えるため、ＬＥＤ光源の光度もしくは流す電流量を多く取った場合でも液晶パネルに青みが発生せず、結果として高輝度な液晶表示装置が提供できる。
【発明を実施するための最良の形態】
【００１６】
本発明の液晶表示装置は、点光源からの出射光を液晶素子に導く導光板と液晶素子との間に、導光板から出射した光を分光放射させる光学素子が設けられている。このような構成によれば、液晶パネルの輝度を低下させずに、青みの発生を低減することができる。
【００１７】
ここで、光学素子として透過型の回折格子を用いることとした。このような構成では、分光範囲の制御が回折格子の溝間隔を変えるだけで容易に実現できるため、液晶パネルに応じて分光状態を制御することが容易となる。あるいは、光学素子として音響光学変調機能を持つ光学素子を用いることができる。さらに、光学素子と導光板の間に、導光板から出射した光を正面方向へ集光させる集光素子を設ける構成とした。
【００１８】
また、本発明の液晶表示装置は、点光源からの出射光を液晶素子に導く導光板と液晶素子との間に、導光板から出射した光の特定の波長を除去、または透過するスペクトル選択手段を備えている。このような構成によれば、点光源の光度や電流量を多くしても液晶パネルの青みが増加することがないので、表示品質の劣化を防ぐことができる。ここで、スペクトル選択手段として、干渉フィルタやエッジフィルタが用いられる。さらに、スペクトル選択手段と導光板の間に、導光板から出射した光を正面方向へ集光させる集光素子を設ける構成とした。
【００１９】
以下、本発明に係る液晶表示装置の実施例を図面に基づいて詳細に説明する。
【実施例１】
【００２０】
図１に、本実施例の液晶表示装置の構成を模式的に示す。図示するように、本実施例の液晶表示装置は、導光板２、ＬＥＤ光源１、光反射板３、導光板から出射される光を液晶素子７の正面方向へ変角する逆プリズムシート４、逆プリズムシートから出射した光のうち特定の波長成分光のみを選択出射する干渉フィルタ（スペクトル選択手段）５、干渉フィルタからの出射光を分光放射する透過型回折格子（分光手段）６、及び液晶素子７を備えている。ここで、ＬＥＤ光源から逆プリズムシート４で出射させるまでの動作は従来例で説明した図１３と同様であり、その説明を省略する。
【００２１】
干渉フィルタ５は、ＬＥＤ光源などの多色光から特定波長の光を選択的に取り出す機能を備えた光学素子で、一般には誘電体多層膜と金属膜、フィルタガラス等の積層構造により構成される。図２は、逆プリズムシート４より出射した光のスペクトラムが干渉フィルタ５により選択出射される様子を示したものである。すなわち、ＬＥＤ光源からの出射光８が導光体を伝搬する様子を示す。図中ａ〜ｃの各出射位置に対応する光のスペクトラムをそれぞれ図１５ａ〜ｃに示す。ここで図１と同一部分には同一符号を付し、ここではその説明を省略する。また、図３は干渉フィルタ５がない従来の場合での同状況を示した図であり、図中ｄの出射位置に対応する光のスペクトラムを図１６ｂに示す。ここで図２と同一部分には同一符号を付し、ここではその説明を省略する。
【００２２】
ＬＥＤ光源より導光体を介して出射される光のスペクトラムは図１６ａで示すように青の波長成分（４８８ｎｍ近傍）に強い相対強度を持っている。液晶パネルを透過することで低下した光量をＬＥＤ光源１の光度もしくは流す電流量を多くする方法で補う場合は、スペクトラム光全体としての光量が上がるため図１６ｂ中の破線で示すように相対的に青の波長成分の光量も強まることとなり、液晶表示装置を観察した時にパネル面内に青みが発生する。干渉フィルタ５は、半値全幅（ＦＷＨＭ）で決まる波長範囲の光を選択的に出射させる機能を備えている。そのため、例えば図１５ｂで示す特性のように、青の波長成分（４８８ｎｍ近傍）を避けた位置に半値全幅をもつ干渉フィルタを用いると、効果的に青の波長成分のみを除去した出射光（図１５ｃ）とすることができる。したがって、ＬＥＤ光源１の光度もしくは流す電流量を上げた場合でもスペクトラム光全体としては白色成分に近いため、パネル面内に青みが生じない。
【００２３】
干渉フィルタ５より出射した光はさらに透過型回折格子（分光手段）６へと入射する。図４に透過型回折格子に入射した光が散乱する様子を示す。散乱出射する角度をθ、入射光の波長をλ、透過型回折格子の溝間隔をｄ、透過型回折格子の回折次数ｍとすると、入射光の波長成分毎に次式１の関係に従う方向に光が散乱出射する。
【００２４】
【数１】
2006330220.tif 000003
【００２５】
図４に示すように、透過型回折格子への入射光線９は透過型回折格子６で分光され、波長成分に応じて回折光線１０ａ〜１０ｅとなる。透過型回折格子６がもつ役目は、分光放射する範囲（分光範囲１１）を液晶素子の内面散乱の状況に応じて整合が取れるようにすることである。
【００２６】
図５を用いて、透過型回折格子６を配した場合に液晶パネル透過後の輝度が改善する理由を説明する。図５において８はＬＥＤ光源からの出射光で導光体を伝搬する一つの代表光線を表し、図中ａ〜ｃの各出射位置での角度方向に対する輝度の関係を図１７ａ〜ｃに示す。また、図６は透過型回折格子がない従来の場合での同状況を示した図であり、図６中に示すｂの出射位置での角度方向に対する輝度の関係を図１８ｂに示す。
【００２７】
全反射方式の照明装置を用いた液晶表示装置では、一般に導光板単体で取り出される光に強い指向性があるため、逆プリズムシート４より出射した光は液晶素子７に対して９０゜方向の成分が強くなる。すなわち、液晶素子に入射する光は垂直に近い角度で入射し（図１８ａ）、光が液晶素子７を通過する際に液晶素子７の内部で発生する散乱（これを内面散乱という）の影響を受け易く、従来の照明装置を用いた液晶表示装置と比べて正面方向での輝度が低くなる問題が発生する（図１８ｂ）。透過型回折格子６は回折格子の溝間隔で決まる分光範囲に光を広げる効果があるため（図１７ｂ）、液晶素子に対しての光の入射状態は従来の照明装置でのそれと近く、しかも溝間隔の変更で分光範囲が変化できるため、組み合わせる液晶素子の内面散乱の状況に応じて分光範囲を最適化することができる。そのため、液晶素子７を透過した後も輝度を低下させる事なく液晶パネル面より光を取り出すことができる（図１７ｃ）。
【００２８】
ここで、干渉フィルタ５と透過型回折格子６の設置位置は、逆プリズムシート４と液晶素子７の間に、干渉フィルタ５を逆プリズムシート４の上方にして設置するのが望ましいが、導光板２から液晶素子７の間で任意に変更が可能であり、液晶パネルの整合状況に応じた対応が可能である。
【００２９】
このような液晶表示装置によれば、逆プリズムシート４より出射した狭い視野角範囲の光を所定の視野角範囲に広げる効果が期待できるため、全反射方式の照明装置を用いた液晶表示装置で問題となる液晶パネル透過後の輝度低下を最小限度とする事ができる。ここで透過型回折格子６の分光範囲は溝間隔の変更で容易に変化が可能であり、従来の照明装置を用いた液晶表示装置でも解決できない液晶パネルの内面散乱の状況に応じた分光状態の制御が比較的容易である。また干渉フィルタ５を配置して青の波長成分の光を効果的に低減しているため、ＬＥＤ光源の光度もしくは流す電流量を多く取った場合でも液晶パネルに青みが発生せず、結果として高輝度な液晶表示装置を提供する事ができる。
【実施例２】
【００３０】
図７に、本実施例の液晶表示装置の構成を模式的に示す。ここでは、実施例１の干渉フィルタの代わりにエッジフィルタ１２を逆プリズムシート４と液晶素子７の間に設置した構成の液晶表示装置を説明する。本実施例の液晶表示装置は、図示するように導光板２、ＬＥＤ光源１、光反射板３、導光板から出射される光を液晶素子７の正面方向へ変角する逆プリズムシート（全反射手段）４、逆プリズムシートから出射した光のうち特定の波長領域の光を除去するエッジフィルタ１２、エッジフィルタからの出射光を分光放射する透過型回折格子（分光手段）６と液晶素子７を備えている。エッジフィルタ１２は、短波長側の光を除去する機能を備えた光学素子であり、その透過特性を図８に示す。ここで図中のλｃはフィルタでの内部透過率が５０％となる波長（これをカットオン波長という）である。すなわち、エッジフィルタ１２では、カットオン波長よりも長波側の光全てを選択出射させる事ができるのが特徴であり、逆プリズムシート４からの出射光をより白色状態に近いものとする事ができる。ここで、エッジフィルタを用いて液晶パネル透過後の青みを改善させる原理は実施例１で説明した図２、図３と同様であり、その説明を省略する。
【００３１】
エッジフィルタ１２の設置位置は、逆プリズムシート４と透過型回折格子６の間に設置するのが望ましいが、導光板２から液晶素子７の間で任意に変更が可能であり、液晶パネルの整合状況に応じた対応が可能である。
【００３２】
このように、エッジフィルタを備えた液晶表示装置を用いると、カットオン波長以降の長波側の光全てを選択出射させる事ができるため、ＬＥＤ光源の光度もしくは流す電流量を多く取った場合でもより白色状態に近く、かつ高輝度な液晶表示装置を提供する事ができる。
【実施例３】
【００３３】
図９に、本実施例の液晶表示装置の構成を模式的に示す。ここでは、前述の実施例の透過型回折格子の代わりに音響光学素子１３を逆プリズムシート４と液晶素子７の間に設けた構成の液晶表示装置を説明する。本実施例の液晶表示装置は、図９で示すように導光板２、ＬＥＤ光源１、光反射板３、導光板から出射される光を液晶素子７の正面方向へ変角する逆プリズムシート（全反射手段）４、逆プリズムシートからの出射した光のうち特定の波長成分光のみを選択出射する干渉フィルタ５、干渉フィルタからの出射光を分光放射する音響光学素子（分光手段）６及び液晶素子７を備えている。図１０は音響光学素子を説明する模式図である。１４は音響光学素子への入射光線、１５ａ〜１５ｅは音響光学変調後の回折光線、１６は外部から印加する超音波発生源、１７は音響光学素子１３での分光範囲を表す。音響光学素子１３は、図１０で示すように外部から印加する超音波の振動数に作用して、弾性媒体に回折効果が起こる性質を利用した光学素子で、次の数式の関係に従う方向に光を回折出射する。ここで、Ｖは音響光学媒体（音響光学素子）での音速、ｆaは外部から印加する超音波発生源の振動数、λ0は真空中での光の波長、θBは回折出射する角度である。
【００３４】
【数２】
2006330220.tif 000004
【００３５】
回折出射した光の強度は次の式３の関係に従い、外部から印加した超音波発生源のパワーに依存する事が知られている。
【００３６】
【数３】
2006330220.tif 000005
【００３７】
ここで、Kは音響光学媒体（音響光学素子）の定数、Pａは超音波発生源のパワーである。また、Meは音響光学媒体（音響光学素子）の物性値で決まる定数であり、次式で示す関係がある。
【００３８】
【数４】
2006330220.tif 000006
【００３９】
ここで、ｎは音響光学媒体（音響光学素子）の屈折率、ｐは光弾性定数、ρは音響光学媒体（音響光学素子）の密度である。
【００４０】
すなわち音響光学素子では光の回折方向と強度が外部から印加する超音波発生源の振動数とパワーで制御される事を特徴としており、外部に設置した超音波発生源を使って容易に分光範囲と分光比率を変更することができる。このため、液晶素子内部で時間的に変化する内面散乱の状況に応じた分光状態の制御も可能であり、液晶パネル上での表面輝度を常に高輝度の状態に維持する事ができる。なお、音響光学素子を使用した場合は、光ドップラー効果により分光放射する各回折光に超音波発生源の振動数ｆaの周波数シフトを受けるが、その影響は高々であり無視する。ここで、音響光学素子を用いての液晶パネル透過後の輝度改善についての原理は実施例１で説明した図５及び図６と同様であり、その説明を省略する。
【００４１】
音響光学素子１３の設置位置は図９において、干渉フィルタ５と液晶素子７の間に設置するのが望ましいが、導光板２から液晶素子７の間で任意に変更が可能であり、液晶パネルの整合状況に応じた対応が可能である。
【００４２】
このように、音響光学素子を備えた液晶表示装置を用いると、分光範囲と分光比率は外部に設置した超音波発生源を使って容易に制御する事ができるため、液晶素子内部で時間的に発生する内面散乱の状況に応じた分光状態の制御も可能であり、液晶パネル上での表面輝度を常に高輝度の状態に維持する事ができる。
【産業上の利用可能性】
【００４３】
本発明は、小型携帯情報機器の高輝度化を意図して考案したものであるが、比較的低コストで大きなサイズまで製造容易な部材（一例としてシート状の透過型回折格子、色ガラスフィルターなど）をそのまま適用できるため、昨今の大型化が進む液晶表示装置の輝度改善にも役立つ。
【図面の簡単な説明】
【００４４】
【図１】本発明の液晶表示装置を模式的に示す断面図である。
【図２】本発明の液晶表示装置を説明する模式図である。
【図３】従来の液晶表示装置を説明する模式図である。
【図４】透過型回折格子での分光状態を模式的に示す断面図である。
【図５】本発明の液晶表示装置を模式的に示す断面図である。
【図６】従来の液晶表示装置を説明する模式図である。
【図７】本発明の液晶表示装置を模式的に示す断面図である。
【図８】エッジフィルタの波長に対する透過特性を示す図表である。
【図９】本発明の液晶表示装置を模式的に示す断面図である。
【図１０】音響光学素子での分光状態を模式的に示す断面図である。
【図１１】従来の液晶表示装置を説明するための断面図である。
【図１２】従来の液晶表示装置を説明するための断面図である。
【図１３】従来の照明装置を説明するための断面図である。
【図１４】従来の照明装置より出射する光のスペクトラムを示した図表である。
【図１５】本発明の液晶表示装置におけるスペクトラムを説明する図表である。
【図１６】従来の液晶表示装置におけるスペクトラムを説明する図表である。
【図１７】本発明の液晶表示装置におけるスペクトラムを説明する図表である。
【図１８】従来の液晶表示装置におけるスペクトラムを説明する図表である。
【符号の説明】
【００４５】
１  ＬＥＤ光源
２  導光板
３  光反射板
４  逆プリズムシート
５  干渉フィルタ
６  透過型回折格子
７  液晶素子
１１  透過型回折格子での分光範囲
１２  エッジフィルタ
１３  音響光学素子
１６  超音波発生源
１７  音響光学素子での分光範囲
１８  拡散シート
１９ａ，１９ｂ  プリズムシート
２０  印刷ドット
２１  照明装置
２２  光入射面
２３  光出射面
２４ａ，２４ｂ  プリズム山
２５  液晶表示装置
【図１】
2006330220.tif 000007
【図２】
2006330220.tif 000008
【図３】
2006330220.tif 000009
【図４】
2006330220.tif 000010
【図５】
2006330220.tif 000011
【図６】
2006330220.tif 000012
【図７】
2006330220.tif 000013
【図８】
2006330220.tif 000014
【図９】
2006330220.tif 000015
【図１０】
2006330220.tif 000016
【図１１】
2006330220.tif 000017
【図１２】
2006330220.tif 000018
【図１３】
2006330220.tif 000019
【図１４】
2006330220.tif 000020
【図１５】
2006330220.tif 000021
【図１６】
2006330220.tif 000022
【図１７】
2006330220.tif 000023
【図１８】
2006330220.tif 000024